(57)【要約】【課題】  従来の平面形状のティーバッグと比して、原料への通水性に優れたティーバッグ製造技術を提供することを課題とする。【解決手段】  ティーバッグの製造方法であって、  一枚のフィルターを折るか、又は二枚以上のフィルターを重ねる重畳工程と、  重畳しているフィルターの内面同士を少なくとも一部分接着し、ティーバッグの形状を設定する設定工程と、  接着したフィルターの内面と外面とを逆転させる逆転工程を備える、ティーバッグの製造方法。【選択図】図７
2020040312.tif 000002
【特許請求の範囲】
【請求項１】
ティーバッグの製造方法であって、
一枚のフィルターを折るか、又は二枚以上のフィルターを重ねる重畳工程と、
重畳しているフィルターの内面同士を少なくとも一部分接着し、ティーバッグの形状を設定する設定工程と、
接着したフィルターの内面と外面とを逆転させる逆転工程を備える、ティーバッグの製造方法。
【請求項２】
前記逆転工程の後、ティーバッグの開口部から原料を投入する原料投入工程を備える、請求項１に記載のティーバッグの製造方法。
【請求項３】
前記原料投入工程の後、前記開口部を封止する工程を備える、請求項２に記載のティーバッグの製造方法。
【請求項４】
前記逆転工程前のティーバッグの形状が、略平面形状又は立体形状であることを特徴とする、請求項１〜３の何れか一項に記載のティーバッグの製造方法。
【請求項５】
請求項１〜４の何れか一項に記載の製造方法により、製造されたティーバッグ。
【請求項６】
少なくとも一部のフィルター同士が接着された接着代を有する、袋状のティーバッグであって、前記接着代が、前記ティーバッグの袋内面側に位置することを特徴とする、ティーバッグ。
【発明の詳細な説明】
【技術分野】
【０００１】
本発明は、原料間への通水性に優れたティーバッグ、及び当該ティーバッグの製造方法に関する。
【背景技術】
【０００２】
ティーバッグは、包装体に予め所定量の茶葉や粉末が内包されており、湯や水に浸すだけで茶類等を抽出することができ、その簡便さから広く普及している。
また、ティーバッグは、茶類のみならず、顆粒出汁や入浴剤等を充填し、その抽出、又は溶解のためにも使用されている。
【０００３】
ティーバッグとしては、平面的な矩形状のものと、立体的な三角錐型のもの（テトラパック）が一般的に知られている。テトラパックは、矩形状のティーバッグと比して、原料（充填物）を保持する空間の容積が大きいことから、原料間への通水性に優れ、抽出効率が高い。
【０００４】
例えば、特許文献１には、テトラパックの効果を十分に発揮させるために、保管・輸送時に折り畳み、あるいは押しつぶされても、変形及び皺等がほぼ回復し得る機能を有するテトラパック、及び製袋システムが記載されている。
【０００５】
また、特許文献２には、テトラパック型包装体に粉状入浴剤を収納した入浴用製品が記載されており、当該入浴用製品は入浴剤の浴湯への溶解性に優れていることが記載されている。
【先行技術文献】
【特許文献】
【０００６】
【特許文献１】特開平７−０６１４６５号公報
【特許文献２】特開２００４−３５２７０３号公報
【発明の概要】
【発明が解決しようとする課題】
【０００７】
上述の通り、テトラパック型のティーバッグは原料の通水性に優れ、効率よく抽出、又は溶解することが可能であることから、数多くの商品に採用されているが、当該製品のほとんどは外形が類似しており、変わり映えがしない。
【０００８】
一方で、平面型のティーバッグは、動物や植物等の形状を模した製品も販売されており、その外形は多種多様であるが、テトラパック型のティーバッグと比べると原料保持空間の容積が小さいため、原料間に抽出溶媒が上手く通水しないという問題があった。
【０００９】
したがって、本発明は従来のティーバッグと比して、原料への通水性に優れたティーバッグ製造技術を提供することを課題とする。
【課題を解決するための手段】
【００１０】
前記課題を解決する本発明は、
ティーバッグの製造方法であって、
一枚のフィルターを折るか、又は二枚以上のフィルターを重ねる重畳工程と、
重畳しているフィルターの内面同士を少なくとも一部分接着し、ティーバッグの形状を設定する設定工程と、
接着したフィルターの内面と外面とを逆転させる逆転工程を備える、ティーバッグの製造方法。
本発明の製造方法によれば、前記逆転工程によってフィルターの接着代をティーバッグの袋内面側に位置させることで、接着代周辺のフィルターが、原料保持空間が広がる方向に保形され、容積が増大する。
【００１１】
本発明の好ましい形態では、前記逆転工程の後、ティーバッグの開口部から原料を投入する原料投入工程を備える。
【００１２】
本発明の好ましい形態では、前記原料投入工程の後、前記開口部を封止する工程を備える。
【００１３】
本発明の好ましい形態では、前記逆転工程前のティーバッグの形状が、略平面状又は立体形状である。
【００１４】
また、前記課題を解決する本発明は、上述した製造方法により製造されたティーバッグである。
【００１５】
また、前記課題を解決する本発明は、少なくとも一部のフィルター同士が接着された接着代を有する、袋状のティーバッグであって、前記接着代が、前記ティーバッグの袋内面側に位置する、ティーバッグである。
【発明の効果】
【００１６】
本発明のティーバッグ製造技術によれば、どのような外形のティーバッグであっても、同一の外形を有するティーバッグと比して原料への通水性に優れたティーバッグを製造できる。
【図面の簡単な説明】
【００１７】
【図１】実施例１に係る、重畳工程、及び設定工程のイメージ図である。
【図２】本発明における、接着代の説明図である。
【図３】実施例１に係る逆転工程の前のフィルター成形品と、逆転工程後の本発明のティーバッグを表わすイメージ図である。
【図４】実施例１に係る逆転工程の前のフィルター成形品の開口部と、逆転工程後の本発明のティーバッグの開口部をイメージ図である。
【図５】実施例２に係る、重畳工程、及び設定工程のイメージ図である。
【図６】実施例２に係る逆転工程の前のフィルター成形品と、逆転工程後の本発明のティーバッグを表わすイメージ図である。
【図７】実施例２に係るフィルター成形品、及びティーバッグの図面代用写真である。
【図８】実施例３に係る、重畳工程、及び設定工程のイメージ図である。
【図９】実施例３に係る逆転工程の前のフィルター成形品と、逆転工程後の本発明のティーバッグを表わすイメージ図である。
【発明を実施するための形態】
【００１８】
［材料］
本発明のティーバッグの製造方法において、フィルターの種類は、一般にティーバッグに用いることができる素材であれば特に限定されず、紙、不織布、ナイロン紗、ポリエステル紗及び植物由来の生分解性繊維等を用いることができる。
フィルターの種類としては、ナイロン紗、ポリエステル紗、及び生分解性繊維紗等の繊維紗を用いることが好ましい。
繊維紗は、他のフィルターと比して弾力性に富んでおり、フィルターとして繊維紗を用いることで、原料保持空間がより広いティーバッグを製造することができる。
【００１９】
以下、図面を参照して本発明の一実施形態に係るティーバッグの製造方法、及びティーバッグについて説明するが、本発明はこれに限られない。
【００２０】
＜実施例１＞
図１に実施例１に係るティーバッグの製造方法のイメージ図を示す。
実施例１においては、２枚のフィルター１０ａ，１０ｂを重ねて配置する（重畳工程）。
【００２１】
次に、重畳しているフィルターの内面同士を接着し、ティーバッグの形状を設定する（設定工程）。図１には、仮想線で接着箇所１１を示す。
【００２２】
次に、接着箇所１１を基準に、重畳しているフィルター１０ａ及び１０ｂを切断し、矩形状のフィルター成形品２０ａを成形する（図１）。実施例１において、フィルター成形品２０ａは、３辺に接着代２１ａを有し、残りの１辺に開口部２２ａを有している。
なお、本明細書中においてフィルター成形品２０とは、後述する本発明のティーバッグの、逆転工程前の状態のものをいう。
図２に、フィルター成形品２０を、開口部２２側から見た図を示す。本明細書中において接着代とは、フィルター同士が接着している部分を意味する（図２上参照）。前記接着部からフィルターの外縁までのフィルター端部分が存在する場合には、当該フィルター端部分を含めて接着代という（図２下参照）。
【００２３】
図３に、フィルター成形品２０ａのイメージ図を示す。
当該フィルター成形品２０ａを、開口部２２ａから裏返すことで、フィルター成形品２０ａの内側の面と、外側の面とを逆転させ、ティーバッグ３０ａを製造する（逆転工程）。
逆転工程を経ることで、接着代２１ａが袋内面側に位置し、開口部２２ａ及び原料保持空間の体積が増大する。説明の便宜上、ティーバッグの接着代は接着代３１と称し、ティーバッグの開口部は開口部３２と称する。
【００２４】
図４に、フォルター成形品２０ａの開口部２２ａ及びティーバッグ３０ａの開口部３２ａのイメージ図を示す。
図４に示す通り、開口部３２ａは、接着代３１ａの周辺のフィルターに、開口部３２ａ及び原料保持空間が広がる方向に力が働くことで、開口部３２ａ及び原料保持空間の体積が増大し、これが保持される。
【００２５】
フィルターの一部が接着されたフィルター成形品２０ａの内面と外面とを逆転させ、ティーバッグ３０ａを製造することで、接着代３１ａの接着部を起点として、フィルターに曲げ力が加えられ、開口部３２ａ及び原料保持空間の体積が増大する。そして、当該曲げ力に対して、フィルターが元の形状に戻ろうとする曲げ応力が発生し、原料保持空間の体積が増大した状態で形状が保持される。
その結果、原料を投入しても原料保持空間に余裕ができるため、原料間への通水性が向上し、抽出効率（溶解効率）が向上する。
【００２６】
実施例１においては、開口部３２ａから、抽出、又は溶解する原料を投入し、開口部３２ａを超音波溶着により封止する。
【００２７】
本発明のティーバッグの製造方法に係る一実施形態において説明したが、本発明のティーバッグの製造方法はこれに限られない。
【００２８】
重畳工程は、従来のティーバッグの製造方法として採用されている一般的な方法を用いることができる。
例えば、実施例１においては、２枚のフィルターを重ねる形態について説明したが、３枚以上のフィルターを重ねてもよく、１枚のフィルターを折り曲げて重ねてもよい。
【００２９】
また、フィルターはロール状のもの、シート状のもの、及びロール状、又はシート状のものから切り取ったものを用いることができる。
例えば、実施例１においては、シート状のフィルターを重ね、複数のフィルター成形品２０を成形する形態について例示したが、フィルターを切断して、当該切断したフィルターを重ねる形態であってもよい。
【００３０】
設定工程としては、フィルターの一部分を熱溶着し、ティーバッグの外形を設定する形態について例示したが、本発明はこれに限定されず、ティーバッグの外形を作出する全ての操作が含まれる。
【００３１】
例えば、フィルター同士の接着、仮止めなどのフィルター同士を結合する操作や、外形を画定する操作や切断などの操作が含まれる。
【００３２】
フィルター同士の接着方法としては、常法を用いることができ、超音波溶着、熱風式溶着、熱板式溶着、インパルス式溶着及びコテ式溶着等の溶着、並びにミシン及び手縫い等の縫合が例示できる。
【００３３】
フィルターの切断方法としては、常法を用いることができ、カッター、超音波カッター、裁断機等の切断媒体を用いて切断することができる。
【００３４】
また、レーザーを用いて、フィルター同士の接着及び切断を行うことができる。
接着方法としては、超音波溶着を用いることが好ましく、切断方法としては、レーザーを用いることが好ましい。または、接着方法及び切断方法として、レーザーを用いることも好ましい。
【００３５】
レーザー及び／又は超音波溶着を用いることでハートや星形等の、曲線部を含む形状、鋭角又は鈍角を含む形状等の複雑な形状のフィルター成形品を、隙間が生じずに、綺麗な切断面で成形することができ、すなわち、切断及び溶着の手法としてレーザーを採用することで、成形できるフィルター成形品の形状の種類を増やすことができる。
【００３６】
実施例１においては、矩形状のフィルター成形品２０であって、３辺に接着代２１を有する形態について例示したが、フィルター成形品２０の形状及び接着代２１の位置及び割合は特に限定されない。
【００３７】
フィルター成形品２０の形状は、略平面形状であっても、立体形状であってもよい。例えば、矩形状、及び三角錐状以外に、ハート型、星型、動物、植物、乗り物、建物、道具、及び衣服等を模した略平面形状並びに立体形状とすることができる。
本発明のティーバッグの製造方法に、略平面形状、又は立体形状のフィルター成形品の何れを使用した場合であっても、原料保持空間増大効果を奏し、増大された原料保持空間が保持される。
【００３８】
実施例１においては、開口部２２ａが、フィルター成形品２０ａの外周部に１つある形態について例示したが、開口部２２は、フィルター成形品２０の面部にあってもよく、２つ以上の開口部２２を形成してもよい。
また、開口部２２ａは、矩形状のフィルター成形品２０ａの１辺全てを接着しないことで形成したが、フィルター成形品２０の内面及び外面を逆転することが可能であれば、その大きさは限定されない。
【００３９】
本発明の製造方法は、フィルターの少なくとも一部分を接着し、接着したフィルターの内面と外面とを逆転すれば、原料保持空間増大効果を得ることができる。
【００４０】
開口部２２をフィルター成形品２０の外周部に形成した場合には、開口部２２を除く外周部の３割以上を接着することが好ましく、５割以上を接着することがより好ましく、７割以上を接着することがさらに好ましく、開口部２２を除く外周部の全てを接着することが特に好ましい。
【００４１】
開口部２２がフィルター成形品２０の面部に形成した場合には、外周部の３割以上を接着することが好ましく、５割以上を接着することがより好ましく、７割以上を接着することがさらに好ましく、外周部の全てを接着することが特に好ましい。
フィルター成形品２０の外周部における接着代２１を増やすことで、逆転工程後のティーバッグ３０の原料保持空間の体積が増大する。
【００４２】
逆転工程は、少なくとも一部が接着されたフィルター成形品２０の内面と外面とを逆転させるあらゆる操作を含む。
また、逆転工程後に、接着されていない外周部をさらに接着してもよい。
【００４３】
逆転工程を経て製造されたティーバッグ３０には、任意の原料を投入することができる。
原料としては、茶葉、漢方、コーヒー、健康食品、インスタント類（味噌汁、スポーツ飲料、スープ）、出汁用原料等の食品を用いることができ、顆粒状、粉末状のものを用いることができる。
また、アロマ及びポプリ等の雑貨、石、鉱石等の、風呂に入れることで温泉効能的用途を有する雑貨、脱臭剤及び防臭剤等を用いることができる。さらに、医薬原料、及び洗顔料の粉末等の化粧品原料を用いることができる。
【００４４】
ティーバッグ３０には、必要に応じてタグを紐づけしても良い。
タグは、逆転工程後に取り付けてもよく、重畳工程において、重ねられたフィルターの内面側にタグを紐づけしておいて、逆転工程により、タグが外面側に位置するようにしておいてもよい。
【００４５】
ティーバッグ３０が有する開口部３２は、必要に応じて封止してもよい。
封止方法としては、上述した本発明のティーバッグの製造方法における接着方法を用いることができる。
【００４６】
本発明のティーバッグ３０は、上述した製造方法により製造可能であるが、これに限定されない。
本発明のティーバッグ３０は、少なくとも一部のフィルター同士が接着された接着代を有し、当該接着代が、ティーバッグ３０の内面側（原料保持空間側）に位置する。
【００４７】
ティーバッグ３０は、例えば、２枚のフィルター１０をそれぞれ折り曲げ、折り曲げ部が内面側となるよう２枚のフィルターを重ね合わせ、当該折り曲げ部同士を接着することで製造することもできる。
【００４８】
＜実施例２＞
実施例１で説明した事項については省略しつつ、実施例２について説明を加える。
【００４９】
図５に本実施形態におけるフィルター成形品２０ｃの成形方法を示す。本実施形態においては、重畳工程として、１枚のフィルター１０ｃを線Ｃに沿って折り曲げ、一方の長辺Ａを、他方の長辺Ｂに重ね合わせる。
【００５０】
そして、長辺ＡＢに対して垂直に、接着箇所１１を設定し、接着箇所１１に沿ってフィルター同士を接着し、切断し、ＡＢ側に開口部２２ｃを有する、矩形状のフィルター成形品２０ｃを成形する。
【００５１】
図６に、逆転工程前のフィルター成形品２０ｃと、逆転工程後のティーバッグ３０ｃを示す。
本実施形態においては、矩形状であって、２つの長辺の内面側に、接着代３１ｃを有するティーバッグ３０ｃを製造することができる。
【００５２】
図７に、実施例２のフィルター成形品２０ｃ及びティーバッグ３０ｃの図面代用写真を示す。なお、フィルター成形品２０及びティーバッグ３０ｃは、フィルターとしてナイロン紗を使用した。
【００５３】
図７に示す通り、フィルター成形品２０ｃは、何ら外力を加えていない状態では原料保持空間がつぶれており（図７左上）、原料保持空間の体積がほぼ存在していない。また、フィルター成形品２０ｃを指でつまんで持ち上げた状態であっても、原料保持空間はつぶれている（図７左下）。
一方で、フィルター成形品２０ｃの内面と外面とを逆転させ得たティーバッグ３０ｃは、何ら外力を加えていない状態であっても、原料保持空間が広がっており、その形状が保持されている（図７右上）。また、ティーバッグ３０ｃを指でつまんで持ち上げた状態であっても、その形状は保持され、広い原料保持空間を有している（図７右下）。
【００５４】
＜実施例３＞
実施例１及び２で説明した事項については省略しつつ、実施例３について説明を加える。
【００５５】
図８に、本実施形態におけるフィルター成形品２０ｄの成形方法を示す。本実施形態においては、フィルター１０ｄを線Ｆ及び線Ｇに沿って折り曲げることで、フィルターを重ねる。
【００５６】
次に接着箇所１１に沿ってフィルターを接着し、切断することで、面部に開口部２２ｄを有するフィルター成形品２０ｄを成形する。
【００５７】
図８に、逆転工程前のフィルター成形品２０ｄと、逆転工程後のティーバッグ３０ｄを示す。
本実施形態においては、矩形状であって、外周部の内面側全域に、接着代３１ｄを有し、面部に開口部３２ｄを有するティーバッグ３０ｄを製造することができる。
【産業上の利用可能性】
【００５８】
本発明は、抽出効率の高いあらゆる形状のティーバッグに応用できる。
【符号の説明】
【００５９】
１０、１０ａ〜ｄ      フィルター
１１                  接着箇所
２０、２０ａ、ｃ、ｄ  フィルター成形品
２１、２１ａ、ｃ、ｄ  接着代（フィルター成形品）
２２、２２ａ、ｃ、ｄ  開口部（フィルター成形品）
３０、３０ａ、ｃ、ｄ  ティーバッグ
３１、３１ａ、ｃ、ｄ  接着代（ティーバッグ）
３２、３２ａ、ｃ、ｄ  開口部（ティーバッグ）
【図１】
2020040312.tif 000003
【図２】
2020040312.tif 000004
【図３】
2020040312.tif 000005
【図４】
2020040312.tif 000006
【図５】
2020040312.tif 000007
【図６】
2020040312.tif 000008
【図７】
2020040312.tif 000009
【図８】
2020040312.tif 000010
【図９】
2020040312.tif 000011